(57)【要約】      （修正有）【課題】いものひっくり返し、炭の処理作業の効率を向上させ、外気や熱源の炭火等から起こる熱の偏在の影響を減らして、いもがカラッと美味しく焼ける甕（壺）いも焼き器用蓋焼き網連動回転装置を提供すること。【解決手段】甕（壺）いも焼き器用蓋焼き網連動回転装置は、甕（壺）の口に嵌める溝付き金属リング１と、鋼球と、鋼球の上に被せる金属薄板リング３と、金属リングと鋼球と金属薄板リングをセットする止め具４と、金属薄板リングに乗せる蓋５と、金属薄板リングからひっかけて下げた焼き網６と、補助具のいも立て掛け補助網７と、いも落下防止補助網とで構成する。【選択図】図１
2019195600.tif 000002
【特許請求の範囲】
【請求項１】
甕（壺）の口に溝付き金属リング（１）鋼球（２）金属薄板リング（３）止め具（４）で形成された回転装置を設け、その上に乗る蓋（５）と金属薄板リング（３）と接続させ、また、（３）は焼き網（６）とその懸下用の針金で繋ぐ、これによって蓋（５）を回せば焼き網も回るので甕（壺）の内部の温度の偏在をいもの移動でカバーでき、いもの焼け方を均等にするための作業のうち上部と炭火に当たる下部をひっくり返す作業以外は省け、蓋を外すことが減るので内部の保温が安定し、焼き網（６）に置くいも立て掛け補助網（７）によりいもを網に転がすよりも空間を立体的に使う分より多くのいもを焼くことができ、いもを立て掛けきれない大きさ、形のいもは、（７）を外して、いも落下防止補助網（８）を、（６）の炭出し入れやコンロの清掃のために設けた開口部に置いて塞ぎ、いもを網に転がして焼くこともでき、従来の壺いも焼き器のいもの針金に刺して焼く方法や針金のカップに入れる方法より、いもの形状や大きさの許容範囲が広く、立て掛けるだけの作業性は従来方法より容易であるし、（６）の焼き網の外周縁に設けたサークルでいもが網からはみ出し甕（壺）の壁面を擦ることを防ぐといった機能も設けた甕（壺）いも焼き器用蓋焼き網連動回転装置。
【発明の詳細な説明】
【技術分野】
【０００１】  この発明は、甕（壺）いも焼き器の口に、溝付き金属リングとその溝に適当数入れた鋼球とその上に被せる金属薄板リングの上に嵌合部を設けて乗せた蓋と下側に懸下部を設けた焼き網を連動回転させる、甕（壺）いも焼き器用蓋焼き網連動回転装置に関するものである。
【背景技術】
【０００２】  従来、甕（壺）いも焼き器では、甕（壺）口から内壁に垂らす針金にいもを刺すか、針金で作ったカップ状のかごにいもを入れて針金に刺すのと同様にして垂らして焼くものであった。
【発明の概要】
【発明が解決しようとする課題】
【０００３】  これは次のような欠点があった。
従来、針金を刺す方法では、細長いいもは、焼いて柔らかくなってくるとちぎれやすく、焼くいもの形の制限があり、また刺す作業は手間がかかる。カップに入れる方法はカップの大きさによる制限があった。また、甕（壺）内の温度はかなり偏在して温度差が生じているものなので、針金を垂らした位置によって焼き上がり状態、時間の長短に差が生じる。
本発明は、以上のような欠点をなくすためになされたものである。
【課題を解決するための手段】
【０００４】  甕（壺）の口に嵌める溝付き金属リング（１）、その溝部に入れる鋼球（２）、鋼球の上に被せる金属薄板リング（３）、（１）（２）（３）をセットする止め具（４）、（３）に嵌合部を相互に設けて乗せる蓋（５）、（３）から引っかけて懸下した中心部を適当に開口された焼き網（６）、（６）のいも立て掛け補助網（７）、（６）のいも落下防止補助網（８）を設ける。
本発明は、以上の構成よりなる甕（壺）いも焼き器用蓋焼き網連動回転装置である。
【発明の効果】
【０００５】    （イ）  甕（壺）の口に嵌めた溝付き金属リング、その溝部に適当数入れた鋼球、そ            の上に被せた金属薄板リングは、溝付き金属リングの外周部を適当な数箇所            で固定した止め具でセットされる。止め具は、金属薄板リングの外周に適当            に接する。その接し方は、両方を固定することはなく、適当に隙間を取りな            がらも、溝付き金属リングと鋼球と金属薄板リングがばらばらにならないよ            うに止め具によって適正にセットされている。これにより金属薄板リングは            、甕（壺）の口に嵌めた溝付き金属リングの上を鋼球により回る。金属薄板            リングは、その回転に支障ないように甕（壺）の内壁、溝付き金属リング、            止め具に接触しない内周位置の適当数の箇所に、蓋に設けた適当数の突起部            に嵌合対応するように開口部が設けられている。また、金属薄板リングには            、懸下する焼き網の針金を引っかけられる箇所も相互対応する適当数が、設            けられている。これにより、蓋に付いた把手を回せば、金属薄板リングを介            して焼き網も回る。甕（壺）内は日当たり、日陰など外気との関係や、熱源            からの熱の不均衡による熱の偏在によって、焼くいもに均等に熱は伝わらな            い。これは、蓋を外さずに、回転させることで、熱も甕（壺）外に逃がさず            に容易に中でいもの位置を変えられて、各いもの熱の当たりを平均にできる            ので、従来の甕（壺）焼きよりも焼く位置を替える作業を、合理的に省略で            きる。蓋は、内部の保温を高めるためには有効作業の範囲で厚い程良い。
（ロ）  焼き網の内部に適当な高さの網のサークルを置いて、いもをそれに立て掛け            るので、従来の方法より、いもの形状、大きさの制限に余裕がある。また、            立て掛ける方がいもの収容量は大きい。焼き網の外縁にも適当な高さの網の            サークルを設けて、いもが甕（壼）の内壁に接触することを防ぐ。
（ハ）  焼き網には、立て掛けサークル網を置くより内側に、適当な大きさの開口が            なされ、焼くための炭などの出し入れやコンロの灰掃除ができるようにして            ある。いもの落下防止に、開口を塞ぐ適当な大きさの補助焼き網を置く。炭            の作業の時には外す。
（ニ）  （ロ）の立て掛けサークルで間に合わない、大きさ、形のいもはサークルを            外して、焼き網に渡した落下防止補助網も使って焼き網に転がして焼く。こ            れによって、ほとんどの大きさ、形のいもを焼くことができる。
（ホ）  溝付き金属リング、鋼球、金属薄板リング、止め具の回転装置は専用に製作            しても良いが、市販の金属製かまど用の鍋受けを溝付き金属リングに転用す            れば安価にできる。鍋受けのリングに合う甕（壺）を市場で探したり、製作            することはできる。鍋受けのリングの溝に市販の鋼球を入れ、それに乗せて            回転させるドーナツ状の金属薄板リングと、まとめセットする金属止め具は            製作する。止め具の取り付けは金属薄板リングが鋼球上をスムースに回るこ            とを考慮する。
（ヘ）  鋼球と金属薄板リングとの間には、空気の流れる透き間があり、それはその            まま溝付き金属リングの周囲から、外に空気は流れる。いもから蒸発する水            分を、外に排出してカラッとした焼き上がりに貢献する。
【図面の簡単な説明】
【０００６】
【図１】本発明を甕（壺）口からセットし、甕（壺）内に懸下した部分を透かした状態の斜視図である。
【図２】本発明の断面図である。
【図３】本発明の蓋（５）の表面の平面図である。
【図４】本発明の蓋（５）の断面図である。
【図５】本発明の金属薄板リング（３）の上面の平面図である。
【図６】本発明の金属薄板リング（３）の断面図である。
【図７】本発明の金属薄板リング（３）の断面図である。
【図８】本発明の溝付き金属リング（１）、それを被う金属薄板リング（３）を止める止め具（４）の平面図である。
【図９】本発明の溝付き金属リング（１）とその溝部に入れた鋼球（２）の平面図である。
【図１０】本発明の溝付き金属リング（１）とその溝部に入れた鋼球（２）の断面図である。
【図１１】本発明の焼き網（６）の断面図である。
【図１２】本発明の焼き網（６）の平面図である。
【図１３】本発明の焼き網（６）のいも立て掛け補助網（７）の断面図である。
【図１４】本発明の焼き網（６）のいも落下防止補助網（８）の平面図である。
【発明を実施するための形態】
【０００７】  以下、本発明を実施するための形態について説明する。
焼くいもと炭火等の熱源を入れた甕（壺）の口に溝付き金属リング（１）、その溝部に入れた適当数の鋼球（２）、鋼球の上に被せる金属薄板リング（３）、（１）（２）（３）をセットする止め具（４）で構成する回転装置、（３）に乗るとともに回転装置に繋がる機能の蓋（５）、（３）から懸けて下げたいもの焼き網（６）、（６）に乗せいもを立て掛けるためのサークル状のいも立て掛け補助網（７）、（６）の中心部において（７）のサークルの内側に開口した部分を塞ぐいも落下防止補助網（８）を設ける。
本発明は、以上のような構造である。
本発明は、甕（壺）いも焼き器に用いるものである。
これを使用するときは、コンロなど火を熾したものを甕（壺）に入れその甕（壺）口にセットする。口に乗せた溝付き金属リング（１）鋼球（２）金属薄板リング（３）止め具（４）によって構成されたもので回転装置となる。その上に被せた蓋（５）には裏面の縁に突起がありそれが金属薄板リング（３）の内周縁の開口部と嵌合する。蓋（５）の表面には裏の突起位置が容易に判るように目印を設けてある。蓋を回すと（３）も回る。（３）（５）の繋ぎ方は容易に脱着でき使用に耐えるものならば他の方法でも良い。金属薄板リング（３）の内周縁には焼き網（６）を懸下する穴を開けた突起も設けてある。この穴に針金などを通して（６）を懸下する。懸下のための接続方法は（３）（６）が容易に脱着でき使用に耐える方法ならば良い。
（５）を回すと（３）とともに（６）が回る。（６）にはサークル状のいも立て掛け補助網（７）が用意されている。（７）の下部には適当数の突起があり、（６）に置いたときにその網の目に刺して（７）の固定を図る。（７）にいもを立て掛ける。いもが（３）の回転で甕（壺）内を回る。（６）の外周の縁には適当な高さのサークルが立ち上がっている。これは網が回る時にいもが動いて甕（壺）内壁にぶつかりこすれたりすることを防ぐためのものである。
（６）の中心部は、（７）のサークル網の径よりは、小さく開口されているが、炭などの出し入れに間に合う寸法でなされている。この開口部を被うに適当な寸法のいも落下防止補助網（８）がある。これはいもの落下を防ぎ、（７）に立て掛けられる形状、寸法に収まらないいもを（６）に横たえて焼くための補助具である。
（１）（２）（３）（４）の回転装置はそれ専用に製作しても良いが従来から市販されている金属製かまどの鍋受けを（１）に使用しても安価に簡単に製作できる。鍋受けに合わせて甕（壺）の方を市販のものから調達するか自前で製作すれば良い。
【符号の説明】
【０００８】  １  溝付き金属リング
２  鋼球
３  金属薄板リング
４  止め具
５  蓋
６  焼き網
７  いも立て掛け補助網
８  いも落下防止補助網
【図１】
2019195600.tif 000003
【図２】
2019195600.tif 000004
【図３】
2019195600.tif 000005
【図４】
2019195600.tif 000006
【図５】
2019195600.tif 000007
【図６】
2019195600.tif 000008
【図７】
2019195600.tif 000009
【図８】
2019195600.tif 000010
【図９】
2019195600.tif 000011
【図１０】
2019195600.tif 000012
【図１１】
2019195600.tif 000013
【図１２】
2019195600.tif 000014
【図１３】
2019195600.tif 000015
【図１４】
2019195600.tif 000016